(57)【要約】【課題】トレイにシートが載置されているか否か、を簡単な構造で検知することが可能なシート検知機構、これを備える加工装置、膨張装置及び造形システムを提供する。【解決手段】シート検知機構２は、載置部と、載置枠部１１４に設けられ、載置されたシートと当接する可動部材１４０と、を有するトレイと、可動部材１４０の所定の配置を検知するセンサ２００と、これを制御する制御部と、を備える。載置枠部１１４の平面視の外形の大きさは、シートの外形の大きさ以上であり、載置枠部１１４は、平面視所定の幅を有し、載置枠部１１４の内部に開口部を有し、可動部材１４０は、載置枠部１１４にシートが載置され、シートに載置枠部１１４の内側の縁で当接することで所定の配置となり、センサ２００に所定の配置を検知させることにより、制御部は、載置枠部１１４にシートが載置されているか否かを判別する。【選択図】図１４
2019171573.tif 000002
【特許請求の範囲】
【請求項１】
シートが載置される載置枠部を備える載置部と、前記載置枠部に設けられ、前記載置枠部に載置された前記シートと当接する可動部材と、を有するトレイと、
前記可動部材の所定の配置を検知するセンサと、
前記センサを制御する制御部と、を備え、
前記載置枠部の平面視の外形の大きさは、前記シートの外形の大きさ以上であり、
前記載置枠部は、平面視で、所定の幅を有し、前記載置枠部の内部に開口部を有しており、
前記可動部材は、前記載置枠部に前記シートが載置され、前記シートに前記載置枠部の内側の縁で当接することにより前記所定の配置となり、
前記センサに前記所定の配置を検知させることによって、前記制御部は、前記載置枠部に前記シートが載置されているか否かを判別する、
ことを特徴とするシート検知機構。
【請求項２】
前記トレイは、前記載置枠部に載置された前記シートを押圧する押圧部材を、さらに有する、
ことを特徴とする請求項１に記載のシート検知機構。
【請求項３】
前記押圧部材は、枠状に形成され、内側に前記シートの外形より小さい開口が形成されている、
ことを特徴とする請求項２に記載のシート検知機構。
【請求項４】
前記可動部材は、
少なくとも一部が前記載置枠部の上方に突出し、前記載置枠部に載置された前記シートと当接し、前記載置枠部の内側の縁に配置されたシート当接部と、
前記センサに前記所定の配置を検知される被検知部と、
を備え、
前記シート当接部は、前記載置枠部に載置された前記シートに当接することによって前記シートと同じ高さ以下に押動され、
前記被検知部は、前記シート当接部が前記シートと同じ高さ以下に押動されることによって、前記所定の配置となる、
ことを特徴とする請求項２又は３に記載のシート検知機構。
【請求項５】
前記押圧部材には、磁石と金属板とのうちの一方が設けられ、
前記載置枠部には、前記磁石と前記金属板とのうちの他方が設けられ、
前記トレイは、前記磁石と前記金属板との間の吸引力により、前記載置枠部に載置された前記シートの周縁部を押圧する、
ことを特徴とする請求項２から４のいずれか１項に記載のシート検知機構。
【請求項６】
前記押圧部材は、前記載置部に回動自在に接合されている、
ことを特徴とする請求項２から５のいずれか１項に記載のシート検知機構。
【請求項７】
前記可動部材は、第１の可動部材であり、
前記トレイは、前記載置枠部に設けられ、前記載置枠部に載置された前記シートと当接する第２の可動部材をさらに有し、
前記第２の可動部材は、第１のサイズである前記シートに当接することができる位置かつ前記第１のサイズより小さい第２のサイズである前記シートに当接することができる位置に配置され、前記載置枠部に前記第１のサイズである前記シートが載置され前記第１のサイズである前記シートに当接することにより、又は、前記第２のサイズである前記シートが載置され前記第２のサイズである前記シートに当接することにより、前記所定の配置となり、
前記第１の可動部材は、第１のサイズである前記シートに当接することができる位置に配置され、前記第２のサイズである前記シートに当接せず、前記第２のサイズである前記シートが前記載置部に載置された場合、前記所定の配置とならず、
前記センサがどの前記可動部材の前記所定の配置を検知したかによって、前記制御部は、前記載置枠部に前記シートが載置されているか否か、及び、前記載置枠部に前記シートが載置されている場合に載置された前記シートのサイズを判別する、
ことを特徴とする請求項２から５のいずれか１項に記載のシート検知機構。
【請求項８】
前記トレイを収容するトレイ収容部と、
前記トレイが前記トレイ収容部の所定の位置に配置されたことを検知するトレイ位置検知センサと、
前記トレイと当接可能なトレイ当接部材と、をさらに備え、
前記トレイが前記トレイ収容部の前記所定の位置に配置されたとき、前記トレイ当接部材は、前記所定の配置となり、
前記トレイ位置検知センサが前記トレイ当接部材の前記所定の配置を検知することにより、前記制御部は、前記シートが前記トレイ収容部の前記所定の位置に配置されたと判別する、
ことを特徴とする請求項１から７のいずれか１項に記載のシート検知機構。
【請求項９】
前記センサと、前記トレイ位置検知センサとは、光電センサであり、
前記所定の配置は、前記センサ又は前記トレイ位置検知センサの投光部と受光部との間に投光された光を遮る配置である、
ことを特徴とする請求項８に記載のシート検知機構。
【請求項１０】
請求項１から９のいずれか１項に記載のシート検知機構と、
前記トレイに配置された前記シートに沿って移動しながら前記シートを加工する移動式ヘッドと、を備える、
ことを特徴とする加工装置。
【請求項１１】
請求項１から９のいずれか１項に記載のシート検知機構と、
前記トレイに配置された前記シートに沿って移動しながら前記シートを加工する移動式ヘッドと、を備え、
前記シートは、熱膨張性シートであり、
前記移動式ヘッドは、前記熱膨張性シートに向けて電磁波を照射させることにより、前記熱膨張性シートを膨張させる、
ことを特徴とする膨張装置。
【請求項１２】
請求項１１に記載の膨張装置と、
前記熱膨張性シートに、電磁波を熱に変換する変換層を印刷する印刷装置と、を備え、
前記膨張装置は、前記移動式ヘッドを移動させながら、前記印刷装置によって前記変換層が印刷された前記熱膨張性シートに向けて前記移動式ヘッドに電磁波を照射させることにより、前記熱膨張性シートを膨張させる、
ことを特徴とする造形システム。
【発明の詳細な説明】
【技術分野】
【０００１】
本発明は、シート検知機構、シート検知機構を備える加工装置、シート検知機構を備える膨張装置及び造形システムに関する。
【背景技術】
【０００２】
造形物（立体物等とも言う。）を造形する技術が知られている。例えば、特許文献１は、造形物として、３次元状の広がりを有する画像である立体画像の形成方法を開示している。具体的に説明すると、特許文献１に開示された方法では、熱膨張性シートを発泡制御データに基づき加熱手段によって光を照射することで加熱する。これにより、熱膨張性シートの加熱された部分が膨張して盛り上がり、立体画像が形成される。
【先行技術文献】
【特許文献】
【０００３】
【特許文献１】特開２００１−１３０１９４号公報
【発明の概要】
【発明が解決しようとする課題】
【０００４】
特許文献１に開示された熱膨張性シートに限らず、一般的なシートをトレイに配置して、トレイに配置されたシートを検知する機構において、トレイにシートが載置されているか否か、を簡単な構造で検知することが求められている。
【０００５】
本発明は、以上のような課題を解決するためのものであり、トレイにシートが載置されているか否か、を簡単な構造で検知することを目的とする。
【課題を解決するための手段】
【０００６】
上記目的を達成するため、本発明の第１の観点に係るシート検知機構は、
シートが載置される載置枠部を備える載置部と、前記載置枠部に設けられ、前記載置枠部に載置された前記シートと当接する可動部材と、を有するトレイと、
前記可動部材の所定の配置を検知するセンサと、
前記センサを制御する制御部と、を備え、
前記載置枠部の平面視の外形の大きさは、前記シートの外形の大きさ以上であり、
前記載置枠部は、平面視で、所定の幅を有し、前記載置枠部の内部に開口部を有しており、
前記可動部材は、前記載置枠部に前記シートが載置され、前記シートに前記載置枠部の内側の縁で当接することにより前記所定の配置となり、
前記センサに前記所定の配置を検知させることによって、前記制御部は、前記載置枠部に前記シートが載置されているか否かを判別する、
ことを特徴とする。
【０００７】
上記目的を達成するため、本発明の第２の観点に係る加工装置は、
上記第１の観点に係るシート検知機構を備え、
前記トレイに配置された前記シートに沿って移動しながら前記シートを加工する移動式ヘッドと、を備える、
ことを特徴とする。
【０００８】
上記目的を達成するため、本発明の第３の観点に係る膨張装置は、
上記第１の観点に係るシート検知機構を備え、
前記トレイに配置された前記シートに沿って移動しながら前記シートを加工する移動式ヘッドと、を備え、
前記シートは、熱膨張性シートであり、
前記移動式ヘッドは、前記熱膨張性シートに向けて電磁波を照射させることにより、前記熱膨張性シートを膨張させる、
ことを特徴とする。
【０００９】
上記目的を達成するため、本発明の第４の観点に係る造形システムは、
上記第３の観点に係る膨張装置と、
前記熱膨張性シートに、電磁波を熱に変換する変換層を印刷する印刷装置と、を備え、
前記膨張装置は、前記移動式ヘッドを移動させながら、前記印刷装置によって前記変換層が印刷された前記熱膨張性シートに向けて前記移動式ヘッドに電磁波を照射させることにより、前記熱膨張性シートを膨張させる、
ことを特徴とする。
【発明の効果】
【００１０】
本発明によれば、トレイにシートが載置されているか否か、を簡単な構造で検知することができる。
【図面の簡単な説明】
【００１１】
【図１】本発明の実施形態に係る熱膨張性シートの断面図である。
【図２】（ａ）は、本発明の実施形態に係る第１のサイズの熱膨張性シートの裏面を示す図である。（ｂ）は、本発明の実施形態に係る第２のサイズの熱膨張性シートの裏面を示す図である。
【図３】本発明の実施形態に係る造形システムの概略構成を示す図である。
【図４】本発明の実施形態に係る端末装置の構成を示すブロック図である。
【図５】本発明の実施形態に係る印刷装置の構成を示す斜視図である。
【図６】本発明の実施形態に係る膨張装置の構成を模式的に示す断面図である。
【図７】本発明の実施形態に係る膨張装置におけるトレイの斜視図である。
【図８】図７に示したトレイにおいて押圧部材が開かれた状態を示す斜視図である。
【図９】（ａ）は、図７に示したトレイにおいて押圧部材を省略した状態を示す斜視図である。（ｂ）は、同拡大平面図である。
【図１０】（ａ）は、本発明の実施形態に係る膨張装置における上部を省略した載置部とレバー部との構成を示した拡大斜視図である。（ｂ）は、（ａ）のレバー部単体を膨張装置背面側から見た拡大斜視図である。
【図１１】（ａ）は、本発明の実施形態に係る膨張装置における上部を省略した載置部と回動前位置にあるレバー部との構成を示した拡大斜視図とさらに回動前位置にあるレバー部を拡大した斜視図である。（ｂ）は、（ａ）のレバー部が遮光位置にある場合の拡大斜視図とさらに遮光位置にあるレバー部を拡大した斜視図である。
【図１２】（ａ）は、本発明の実施形態に係る膨張装置におけるトレイスイッチ押板がトレイ位置検知センサの投光する光を遮光していない状態を示す拡大斜視図である。（ｂ）は、本発明の実施形態に係る膨張装置におけるトレイスイッチ押板がトレイ位置検知センサの投光する光を遮光している状態を示す拡大斜視図である。
【図１３】本発明の実施形態に係る膨張装置におけるトレイ検知機構の斜視図である。
【図１４】本発明の実施形態に係る膨張装置におけるレバー部とセンサとの構成を示す拡大斜視図である。
【図１５】（ａ）は、図８に示したトレイに第１のサイズの熱膨張性シートが載置された状態を示す図である。（ｂ）は、図８に示したトレイに第２のサイズの熱膨張性シートが載置された状態を示す図である。
【図１６】本発明の実施形態に係る膨張装置において筐体からトレイが引き出された状態を示す斜視図である。
【図１７】図１６に示したトレイにおいて押圧部材が閉じられた状態を示す図である
【図１８】図６に示した膨張装置において実行される膨張処理の様子を示す図である。
【図１９】本発明の実施形態に係る造形システムによって実行される造形物の製造処理の流れを示すフローチャートである。
【図２０】（ａ）〜（ｅ）は、図１８に示した熱膨張性シートに造形物が製造される様子を段階的に示す図である。
【発明を実施するための形態】
【００１２】
以下、本発明の実施形態について、図面を参照して説明する。なお、図中同一又は相当する部分には同一符号を付す。
【００１３】
＜熱膨張性シート１０＞
図１に、実施形態１に係る造形物を造形するための熱膨張性シート１０の断面構成を示す。熱膨張性シート１０は、予め選択された部分が加熱により膨張することによって造形物が造形される媒体である。造形物とは、立体的な形状を有する物体であって、２次元状のシートにおいて、シートのうちの一部分がシートに垂直な方向に膨張することによって造形される。造形物は、立体物又は立体画像とも言う。造形物の形状は、単純な形状、幾何学形状、文字等の形状一般を含む。
【００１４】
図１に示すように、熱膨張性シート１０は、基材１１と、熱膨張層１２と、インク受容層１３とを、この順に備えている。なお、図１は、造形物が造形される前、すなわちどの部分も膨張していない状態における熱膨張性シート１０の断面を示している。
【００１５】
基材１１は、熱膨張性シート１０の元となるシート状の媒体である。基材１１は、熱膨張層１２とインク受容層１３とを支持する支持体であって、熱膨張性シート１０の強度を保持する役割を担う。基材１１として、例えば、一般的な印刷用紙を用いることができる。或いは、基材１１の材質は、合成紙、キャンバス地等の布、ポリプロピレン、ポリエチレンテレフタレート（ＰＥＴ）、ポリブチレンテレフタレート（ＰＢＴ）等のプラスチックフィルムであっても良く、特に限定されるものではない。
【００１６】
熱膨張層１２は、基材１１の上側に積層されており、規定の温度以上に加熱されることによって膨張する層である。熱膨張層１２は、バインダと、バインダ内に分散配置された熱膨張剤と、を含む。バインダは、酢酸ビニル系ポリマー、アクリル系ポリマー等の熱可塑性樹脂である。熱膨張剤は、具体的には、プロパン、ブタン等の低沸点で気化する物質を、熱可塑性樹脂の外殻に内包した、粒径が約５〜５０μｍの熱膨張性のマイクロカプセル（マイクロパウダー）である。熱膨張剤は、例えば８０℃から１２０℃程度の温度に加熱されると、内包している物質が気化し、その圧力によって発泡及び膨張する。このようにして、熱膨張層１２は、吸収した熱量に応じて膨張する。熱膨張剤は、発泡剤とも呼ぶ。
【００１７】
インク受容層１３は、熱膨張層１２の上側に積層された、インクを吸収して受容する層である。インク受容層１３は、インクジェット方式のプリンタに用いられる印刷用のインク、レーザー方式のプリンタに用いられる印刷用のトナー、ボールペン又は万年筆のインク、鉛筆の黒鉛等を受容する。インク受容層１３は、これらを表面に定着させるための好適な材料によって形成される。インク受容層１３の材料として、例えば、インクジェット用紙に用いられている汎用的な材料を用いることができる。
【００１８】
図２（ａ）,（ｂ）に、熱膨張性シート１０の裏面を示す。熱膨張性シート１０の裏面は、熱膨張性シート１０の基材１１側の面であって、基材１１の裏面に相当する。図２（ａ）は、シートのサイズが第１のサイズである熱膨張性シート１０ａの裏面を示しており、図２（ｂ）は、シートのサイズが第２のサイズである熱膨張性シート１０ｂの裏面を示している。一例として、第１のサイズはＡ３サイズであり、第２のサイズはＡ４サイズ、すなわち第１のサイズの半分のサイズである。
【００１９】
図２（ａ），（ｂ）に示すように、熱膨張性シート１０の裏面には、その周縁部に沿って複数のバーコードＢが付されている。より詳細には、バーコードＢは、図２（ａ）に示す第１のサイズの熱膨張性シート１０ａでは、長手方向における一方側の端部に設けられており、図２（ｂ）に示す第２のサイズの熱膨張性シート１０ｂでは、短手方向における一方側の端部に設けられている。バーコードＢは、熱膨張性シート１０を識別するための識別子であって、熱膨張性シート１０が造形物を造形するための専用のシートであることを示す識別子である。バーコードＢは、膨張装置５０によって読み取られ、膨張装置５０において熱膨張性シート１０の使用の可否を判定するために用いられる。また、バーコードＢは、熱膨張性シート１０のサイズが第１のサイズであるか第２のサイズであるかというサイズ情報、熱膨張性シート１０の厚み、基材１１の種類等の情報を含んでいても良い。
【００２０】
造形システム１は、このようなサイズが異なる複数種類の熱膨張性シート１０に造形物を造形することができる。熱膨張性シート１０の表面又は裏面のうちの膨張させたい部分には、カーボン分子が印刷される。カーボン分子は、黒色（カーボンブラック）又は他の色のインクに含まれ、電磁波を吸収して熱に変換する電磁波熱変換材料（発熱剤）の一種である。カーボン分子は、電磁波を吸収して熱振動することで熱を発生する。熱膨張性シート１０において、カーボン分子が印刷された部分が加熱されると、その部分の熱膨張層１２が膨張して隆起（バンプ）が形成される。このような熱膨張層１２の隆起（バンプ）によって凸若しくは凹凸形状を造ることにより、熱膨張性シート１０に造形物が造形される。
【００２１】
熱膨張性シート１０における膨張させる箇所及び高さを組み合わせることにより、多彩な造形物を得ることができる。また、造形（造型）によって視覚又は触覚を通じて美感又は質感を表現することを「加飾（造飾）」と呼ぶ。
【００２２】
＜造形システム１＞
次に、図３を参照して、熱膨張性シート１０に造形物を造形する造形システム１について説明する。図３に示すように、造形システム１は、端末装置３０と、印刷装置４０と、膨張装置５０と、を備える。
【００２３】
端末装置３０は、パーソナルコンピュータ、スマートフォン、タブレット等の情報処理装置であって、印刷装置４０及び膨張装置５０を制御する制御ユニットである。図４に示すように、端末装置３０は、制御部３１と、記憶部３２と、操作部３３と、表示部３４と、記録媒体駆動部３５と、通信部３６と、を備える。これら各部は、信号を伝達するためのバスによって接続されている。
【００２４】
制御部３１は、ＣＰＵ（Central Processing Unit）、ＲＯＭ（Read Only Memory）及びＲＡＭ（Random Access Memory）を備える。制御部３１において、ＣＰＵが、ＲＯＭに記憶されている制御プログラムを読み出して、ＲＡＭをワークメモリとして用いながら、端末装置３０全体の動作を制御する。
【００２５】
記憶部３２は、フラッシュメモリ、ハードディスク等の不揮発性メモリである。記憶部３２は、制御部３１によって実行されるプログラム又はデータ、及び、印刷装置４０によって印刷されるカラー画像データ、表面発泡データ及び裏面発泡データを記憶する。
【００２６】
操作部３３は、キーボード、マウス、ボタン、タッチパッド、タッチパネル等の入力装置を備えており、ユーザから操作を受け付ける。ユーザは、操作部３３を操作することによって、カラー画像データ、表面発泡データ及び裏面発泡データ編集する操作、印刷装置４０又は膨張装置５０に対する操作等を入力することができる。
【００２７】
表示部３４は、液晶ディスプレイ、有機ＥＬ（Electro Luminescence）ディスプレイ等の表示装置と、表示装置に画像を表示させる表示駆動回路と、を備える。例えば、表示部３４は、カラー画像データ、表面発泡データ及び裏面発泡データを表示する。また、表示部３４は、必要に応じて、印刷装置４０又は膨張装置５０の現在の状態を示す情報を表示する。
【００２８】
記録媒体駆動部３５は、可搬型の記録媒体に記録されているプログラム又はデータを読み出す。可搬型の記録媒体とは、ＣＤ（Compact Disc）−ＲＯＭ、ＤＶＤ（Digital Versatile Disc）−ＲＯＭ、ＵＳＢ（Universal Serial Bus）規格のコネクタが備えられているフラッシュメモリ等である。例えば、記録媒体駆動部３５は、カラー画像データ、表面発泡データ及び裏面発泡データを、可搬型の記録媒体から読み出して取得する。
【００２９】
通信部３６は、印刷装置４０及び膨張装置５０を含む外部の装置と通信するためのインタフェースを備える。端末装置３０は、フレキシブルケーブル、有線ＬＡＮ（Local Area Network）等の有線、又は、無線ＬＡＮ、Ｂｌｕｅｔｏｏｔｈ（登録商標）等の無線を介して印刷装置４０及び膨張装置５０と接続されている。通信部３６は、制御部３１の制御の下、これらのうちの少なくとも１つの通信規格に従って、印刷装置４０及び膨張装置５０と通信する。
【００３０】
＜印刷装置４０＞
印刷装置４０は、熱膨張性シート１０の表面又は裏面に画像を印刷する印刷ユニットである。印刷装置４０は、インクを微滴化し、被印刷媒体に対して直接に吹き付ける方式で画像を印刷するインクジェットプリンタである。
【００３１】
図５に、印刷装置４０の詳細な構成を示す。図５に示すように、印刷装置４０は、熱膨張性シート１０が搬送される方向である副走査方向Ｄ１（Ｙ方向）に直交する主走査方向Ｄ２（Ｘ方向）に往復移動可能なキャリッジ４１を備える。
【００３２】
キャリッジ４１には、印刷を実行する印刷ヘッド４２と、インクを収容したインクカートリッジ４３（４３ｋ，４３ｃ，４３ｍ，４３ｙ）が取り付けられている。インクカートリッジ４３ｋ，４３ｃ，４３ｍ，４３ｙには、それぞれ、ブラックＫ、シアンＣ、マゼンタＭ、及びイエローＹの色インクが収容されている。各色のインクは、印刷ヘッド４２の対応するノズルから吐出される。
【００３３】
キャリッジ４１は、ガイドレール４４に滑動自在に支持されており、駆動ベルト４５に挟持されている。キャリッジ４１は、モータ４５ｍの回転により駆動ベルト４５が駆動することで、印刷ヘッド４２及びインクカートリッジ４３と共に、主走査方向Ｄ２に移動する。
【００３４】
フレーム４７の下部には、印刷ヘッド４２と対向する位置に、プラテン４８が設けられている。プラテン４８は、主走査方向Ｄ２に延在しており、熱膨張性シート１０の搬送路の一部を構成している。熱膨張性シート１０の搬送路には、給紙ローラ対４９ａ（下のローラは不図示）と排紙ローラ対４９ｂ（下のローラは不図示）とが設けられている。給紙ローラ対４９ａと排紙ローラ対４９ｂとは、プラテン４８に支持された熱膨張性シート１０を副走査方向Ｄ１に搬送する。
【００３５】
印刷装置４０は、フレキシブル通信ケーブル４６を介して端末装置３０と接続されている。端末装置３０は、フレキシブル通信ケーブル４６を介して、印刷ヘッド４２、モータ４５ｍ、給紙ローラ対４９ａ及び排紙ローラ対４９ｂを制御する。具体的に説明すると、端末装置３０は、給紙ローラ対４９ａ及び排紙ローラ対４９ｂを制御して、熱膨張性シート１０を搬送させる。また、端末装置３０は、モータ４５ｍを回転させてキャリッジ４１を移動させ、印刷ヘッド４２を主走査方向Ｄ２の適切な位置に搬送させる。
【００３６】
印刷装置４０は、端末装置３０から画像データを取得し、取得した画像データに基づいて印刷を実行する。具体的に説明すると、印刷装置４０は、画像データとして、カラー画像データと表面発泡データと裏面発泡データとを取得する。カラー画像データは、熱膨張性シート１０の表面に印刷するカラー画像を示すデータである。印刷装置４０は、印刷ヘッド４２に、シアンＣ、マゼンタＭ及びイエローＹの各インクを熱膨張性シート１０に向けて噴射させて、カラー画像を印刷する。
【００３７】
表面発泡データは、熱膨張性シート１０の表面において発泡及び膨張させる部分を示すデータである。また、裏面発泡データは、熱膨張性シート１０の裏面において発泡及び膨張させる部分を示すデータである。印刷装置４０は、印刷ヘッド４２に、カーボンブラックを含むブラックＫの黒色インクを熱膨張性シート１０に向けて噴射させて、黒色による濃淡画像（濃淡パターン）を印刷する。カーボンブラックを含む黒色インクは、電磁波を熱に変換する材料の一例である。
【００３８】
＜膨張装置５０＞
膨張装置５０は、熱膨張性シート１０の表面又は裏面に電磁波を照射し、熱膨張性シート１０の表面又は裏面に印刷された濃淡画像を発熱させて、熱膨張性シート１０のうちの濃淡画像が印刷された部分を膨張させる膨張ユニットである。
【００３９】
図６に、膨張装置５０の構成を模式的に示す。図６において、Ｘ方向は、膨張装置５０の幅方向に相当し、Ｙ方向は、膨張装置５０の長手方向に相当し、Ｚ方向は、鉛直方向に相当する。Ｘ方向とＹ方向とＺ方向とは、互いに直交する。
【００４０】
膨張装置５０は、照射部６０を移動させながら、トレイ１００に載置された熱膨張性シート１０に向けて照射部６０に電磁波を照射させることにより、熱膨張性シート１０を膨張させる。照射部６０は、第１の位置Ｐ１と第２の位置Ｐ２との間で往復移動する。第１の位置Ｐ１は、照射部６０の初期位置（ホームポジション）である。照射部６０は、膨張装置５０が動作していない時には第１の位置Ｐ１で待機している。
【００４１】
膨張装置５０は、箱型の筐体５１を備える。筐体５１の内部は、上側筐体５１ａと下側筐体５１ｂとの２室に仕切られている。これは、照射部６０からの電磁波の照射により上側筐体５１ａ内の温度が上昇した際に、下側筐体５１ｂ内の基板等に与える影響を抑制するものである。膨張装置５０は、上側筐体５１ａの内部に、換気部５４と、搬送モータ５５と、搬送レール５６と、トレイ収容部５７と、照射部６０と、トレイ１００と、センサ２００と、トレイ位置検知センサ２１０と、を備える。また、膨張装置５０は、下側筐体５１ｂの内部に、電源部６９と、制御部７０と、を備える。
【００４２】
トレイ収容部５７は、熱膨張性シート１０を筐体５１内の適正な位置（所定の位置）に設置するための空間である。トレイ収容部５７は、Ｘ軸方向にトレイ１００を移動可能であり、筐体５１の−Ｘ方向に設けられた開口を有する。
【００４３】
トレイ１００は、熱膨張性シート１０を筐体５１内の適正な位置（後述するトレイ収容部５７内の所定の位置）に設置するための機構であって、熱膨張性シート１０を検知するためのシート検知機構２の一部を構成する。図７に、トレイ１００の詳細な構成を示す。図７に示すように、トレイ１００は、載置部１１０と、押圧部材１２０と、レバー部１４０と、を備える。
【００４４】
載置部１１０は、その上面に熱膨張性シート１０が載置される載置枠部１１４を備える平面状の部材である。載置部１１０は、押圧部材１２０との間で熱膨張性シート１０を挟み込んで保持する。
【００４５】
図８に、載置部１１０から押圧部材１２０が開かれた状態のトレイ１００を示す。図８に示すように、載置部１１０の載置枠部１１４の外形の大きさは、熱膨張性シート１０を安定して保持できるように、トレイ１００に載置可能な熱膨張性シート１０の最大サイズよりも大きなサイズの長方形状をしている。トレイ１００に載置可能な熱膨張性シート１０の最大サイズは、例えばＡ３サイズである。載置部１１０は、ユーザがトレイ１００を筐体５１から引き出すための手掛け部１１１を備える。
【００４６】
載置部１１０の中央部分における熱膨張性シート１０が載置される領域には、載置枠部１１４の内側に矩形状の凹部１１２が設けられている。より詳細には、凹部１１２は、載置部１１０における、熱膨張性シート１０のうちの膨張する部分が載置される領域に設けられている開口部である。ここで、熱膨張性シート１０のうちの膨張する部分とは、濃淡画像が印刷されて膨張可能な部分であって、周縁部以外の部分に相当する。周縁部とは、熱膨張性シート１０の４辺の外周（境界）に接する部分であって、いわゆる余白領域に相当する。
【００４７】
凹部１１２は、裏面発泡の際、すなわち熱膨張性シート１０がその裏面を上側に向けて載置部１１０の載置枠部１１４に載置された場合に、熱膨張性シート１０の熱膨張層１２が下側に向けて膨張できるようにするために設けられている。凹部１１２が設けられていることにより、載置部１１０の載置枠部１１４に載置された熱膨張性シート１０のうちの中央の膨張可能な部分は載置部１１０の載置枠部１１４に接しない。言い換えると、熱膨張性シート１０は、図９（ａ）に示すように、その周縁部が凹部１１２を囲む所定の幅を有する外周部分（載置枠部１１４又は後述する磁石１１６）によって支持されることにより、載置部１１０の載置枠部１１４に保持される。これにより、熱膨張性シート１０が、トレイ１００からはみ出したり落ちたりする事無く、載置部１１０の載置枠部１１４と押圧部材１２０とによって熱膨張性シート１０を支持することができる。
【００４８】
凹部１１２の底面には、トレイ１００に載置された熱膨張性シート１０の下側の面の一部が露出するように、開口１１３が設けられている。開口１１３が設けられていることにより、熱膨張性シート１０が膨張する際に発生する熱を外部に逃がすことができ、熱膨張性シート１０の温度が上昇しすぎることを回避することができる。
【００４９】
図８に示すように、凹部１１２を囲む外周部分、すなわち熱膨張性シート１０の周縁部が載置される部分には、磁石１１６が設けられている。磁石１１６は、細長い板状をしており、凹部１１２の外周部分の４辺のそれぞれに沿って設けられている。磁石１１６は、押圧部材１２０が閉じられた際に押圧部材１２０に設けられた金属板１２５を吸引（吸着）することで、熱膨張性シート１０を固定する役割を果たす。載置部１１０における磁石１１６が設けられた４辺の領域は、縦方向（Ｘ方向）に延伸する２辺の領域である２つの縦枠部と、横方向（Ｙ方向）に延伸する２辺の領域である２つの横枠部と、に分けられる。これら２つの縦枠部及び２つの横枠部は、熱膨張性シート１０が載置部１１０の載置枠部１１４に載置された場合に、熱膨張性シート１０の周縁部を支持する。これにより、熱膨張性シート１０を固定しながら、熱膨張性シート１０に，膨張処理を施すことができる。図９（ｂ）に示すように、２つの縦枠部及び２つの横枠部の内側に形成される開口部である凹部１１２の外側の縁（載置枠部１１４の内側の縁）に、レバー部１４０の後述するシート当接部１４２が配置される。
【００５０】
押圧部材１２０は、載置部１１０に載置された熱膨張性シート１０の周縁部を押圧することにより、熱膨張性シート１０を載置部１１０の載置枠部１１４に固定する部材である。熱膨張性シート１０は、膨張時に内部で応力が働くことにより、例えば周縁部が鉛直方向（Ｚ方向）に弓なりに曲がって反る等、平面状から変形することがある。このように熱膨張性シート１０が変形すると、膨張の高さが変わる等のように膨張の精度に影響を及ぼし、造形される造形物の品質が悪化するおそれがある。このような熱膨張性シート１０の変形を抑制するため、熱膨張性シート１０は、押圧部材１２０により周縁部が押圧されることで、トレイ１００に固定される。このように熱膨張性シート１０がトレイ１００に安定して固定された状態で、膨張処理が実行される。
【００５１】
図８に示すように、押圧部材１２０は、載置部１１０に接する１辺に設けられた、例えばヒンジ構造の回動部１１７を軸に回転することで開閉される。押圧部材１２０は、額縁状（枠状又はフレーム状）に形成されている。言い換えると、押圧部材１２０は、熱膨張性シート１０のうちの電磁波が照射される部分が露出するように、また、表面発泡の際に熱膨張性シート１０が上側に向けて膨張可能なように、中央部分に大きな開口１２８を有している。開口１２８の大きさは、凹部１１２の大きさに等しい。押圧部材１２０は、載置部１１０に熱膨張性シート１０が載置された状態で閉じられると、額縁の枠部分によって、載置部１１０に載置された熱膨張性シート１０の周縁部を押圧して、載置部１１０の載置枠部１１４との間で熱膨張性シート１０の周縁部を挟持する。押圧部材１２０は、回動部１１７を介して載置部１１０に接続されているので、熱膨張性シート１０の周縁部を一定の押圧力で押圧することができる。
【００５２】
より詳細に説明すると、押圧部材１２０は、第１のサイズであるＡ３サイズの熱膨張性シート１０ａが載置部１１０の載置枠部１１４に載置可能になるように設けられている。そのため、載置部１１０の載置枠部１１４にＡ３サイズの熱膨張性シート１０ａが載置された場合、押圧部材１２０の４辺の枠が熱膨張性シート１０ａの４辺の周縁部に被せられることで、周縁部が押圧される。
【００５３】
これに対して、載置部１１０の載置枠部１１４に載置された熱膨張性シート１０のサイズが、図２（ｂ）に示した第２のサイズである場合には、押圧部材１２０は、第２のサイズの熱膨張性シート１０ｂの３辺の周縁部を押圧する。第２のサイズとは、載置部１１０の載置枠部１１４に載置可能な熱膨張性シート１０の最大サイズよりも小さいサイズであって、具体的にはＡ４サイズである。最大サイズよりも小さいサイズの熱膨張性シート１０ｂが載置部１１０の載置枠部１１４に載置された場合、押圧部材１２０の４辺の枠は、第２のサイズの熱膨張性シート１０ｂの４辺の周縁部に合致しない。そのため、載置部１１０の載置枠部１１４に第２のサイズの熱膨張性シート１０ｂが載置された場合、押圧部材１２０の４辺の枠のうちの一部が第２のサイズの熱膨張性シート１０ｂの３辺の周縁部に被せられることで、３辺の周縁部が押圧される。
【００５４】
押圧部材１２０は、その下側の面、すなわち載置部１１０の載置枠部１１４に載置された熱膨張性シート１０に接する側の面に、金属板１２５を備える。金属板１２５は、鉄等の磁性を有する金属の板であり、押圧部材１２０の４辺の枠に沿って設けられている。金属板１２５は、押圧部材１２０が閉じられた際に、載置部１１０の載置枠部１１４に設けられた磁石１１６に吸引される。このような磁石１１６と金属板１２５との間の吸引力により、押圧部材１２０は、載置部１１０の載置枠部１１４に載置された熱膨張性シート１０の周縁部を押圧して固定する。
【００５５】
図９（ａ）に示すように、載置部１１０の載置枠部１１４は、＋Ｘ方向端部に延設された磁石１１６の下部にレバー部１４０（１４０ａ，１４０ｂ）を有する。可動部材であるレバー部１４０は、載置部１１０の載置枠部１１４の貫通孔１１８に回動可能に取り付けられている。レバー部１４０には、図１０（ａ）に示すように、Ｘ軸方向に伸びる円柱状の軸１４１の−Ｘ方向の端部に略蒲鉾状のシート当接部１４２が形成され、軸１４１の＋Ｘ方向の端部に略Ｌ字状の被検知部１４３が形成されている。レバー部１４０は、所定の条件において、センサ２００が投光する光Ｌ１を遮るための部材である。
【００５６】
図９（ａ）に示すように、第１のレバー部１４０ａは、第２のサイズの熱膨張性シート１０ｂが載置部１１０の載置枠部１１４に載置された場合、第２のサイズの熱膨張性シート１０ｂに当接せず、第１のサイズの熱膨張性シート１０ａが載置部１１０の載置枠部１１４に載置された場合、第１のサイズの熱膨張性シート１０ａの＋Ｘ方向の１辺に近接し、第１のサイズの熱膨張性シート１０ａに当接可能な位置に配置されている。
【００５７】
第２のレバー部１４０ｂは、第２のサイズの熱膨張性シート１０ｂが載置部１１０の載置枠部１１４に載置された場合、第２のサイズの熱膨張性シート１０ｂの＋Ｘ方向の１辺に近接し第２のサイズの熱膨張性シート１０ｂに当接可能な位置であって、第１のサイズの熱膨張性シート１０ａが載置部１１０の載置枠部１１４に載置された場合、第１のサイズの熱膨張性シート１０ａの＋Ｘ方向の１辺に近接し第１のサイズの熱膨張性シート１０ａに当接可能な位置に配置されている。
【００５８】
図１０（ａ）に示すように、軸１４１は、載置枠部１１４の貫通孔１１８に挿通されている。図１０（ｂ）に示すように、軸１４１の中央付近の−Ｚ方向には、係合部１４４が形成されている。係合部１４４には、弾性部材であるコイルスプリングのバネ１４５の一端が係合されている。バネ１４５の他端は、載置枠部１１４の係合爪１１９に係合されている。
【００５９】
図１１（ａ）に二点鎖線Ｓで示すように、シート当接部１４２は、レバー部１４０が回動前位置Ｐ３のとき、略蒲鉾状のＲ部分の一部が載置部１１０から＋Ｚ方向に突出している。熱膨張性シート１０が載置枠部１１４に載置された時、シート当接部１４２の載置枠部１１４からの突出部分が熱膨張性シート１０に軸１４１を軸に−Ｚ方向に押動され、突出部分は、図１１（ｂ）に二点鎖線Ｔで示すように、＋Ｚ方向に載置枠部１１４と同じ高さ以下になる遮光位置Ｐ４に回動される。熱膨張性シート１０が載置枠部１１４から取り除かれると、バネ１４５の付勢力により、シート当接部１４２は、軸１４１を軸に回動し、回動前位置Ｐ３に戻る。図９（ｂ）に示すように、シート当接部１４２は、凹部１１２の外周付近に配置されることで、押圧部材１２０及び熱膨張性シート１０からの押圧力により、遮光位置Ｐ４まで十分に回動される。
【００６０】
図１０（ａ）、（ｂ）に示すように、被検知部１４３は、略Ｌ字状断面の略板状である。被検知部１４３は、軸１４１に接続されている基部１４６と、基部１４６の端部から垂設された遮光部１４７と、を有する。基部１４６は、シート当接部１４２と対向するように延設されている。遮光部１４７は、基部１４６から＋Ｘ方向に垂設されている。レバー部１４０は、シート当接部１４２が載置枠部１１４に載置された熱膨張性シート１０に−Ｚ方向に押されて、シート当接部１４２の突出部分が＋Ｚ方向に載置枠部１１４と同じ高さ以下になるとき、遮光部１４７が後述するセンサ２００が投光する光を遮光する遮光位置Ｐ４に回動される。熱膨張性シート１０が載置部１１０から取り出されると、レバー部１４０は、バネ１４５の付勢力によって回動前位置Ｐ３に回動され、遮光部１４７は、センサ２００の投光する光を遮らなくなる。
【００６１】
図１２（ａ）、（ｂ）に示すように、トレイスイッチ押板（トレイ当接部材）１５０は、略Ｌ字状断面の略板状である。トレイスイッチ押板１５０は、基部１５１と、遮光部１５２とを有する。基部１５１は、固定部材１５３によって、Ｚ軸方向を回転軸として載置部１１０に回動可能に取り付けられている。遮光部１５２は、ＸＹ平面視で基部１５１から＋Ｘ方向に垂設されている。トレイ１００が−Ｘ方向に引き出されている場合、図１２（ａ）に示すように、基部１５１は、ＸＹ平面視でトレイ１００の基部１５１に隣接する辺１０１に対して傾斜している。トレイ１００がトレイ収容部５７の所定の位置に配置されている場合、図１２（ｂ）に示すように、トレイスイッチ押板１５０は、ＸＹ平面視でトレイ１００の基部１５１に隣接する辺１０１に平行になり、遮光部１５２が後述するトレイ位置検知センサ２１０が投光する光を遮光する。
【００６２】
図１３，１４に示すように、センサ２００（２００ａ，２００ｂ）は、レバー部１４０の被検知部１４３と対向する位置に配置されている、透過形の光電センサである。センサ２００は、基部２０１と、投光部２０２と、受光部２０３と、を有する。センサ２００は、レバー部１４０の被検知部１４３の遮光部１４７の動きを検知する。センサ２００は、シート検知機構２の一部を構成する。制御部７０は、センサ２００によって、トレイ１００に熱膨張性シート１０が載置されているか否か、及び、載置されている場合、熱膨張性シート１０のサイズを判別する。
【００６３】
基部２０１は、上側筐体５１ａの底面５１ｃに配置されている。投光部２０２と受光部２０３とは空隙Ｅ１を挟んで対向するように基部２０１に配置されている。投光部２０２は、受光部２０３へ光Ｌ１を投光する。空隙Ｅ１に遮光部１４７が配置されることで、投光部２０２から投光される光Ｌ１は遮られ、受光部２０３は光Ｌ１を受光しなくなる。これにより、センサ２００は、レバー部１４０の動きを検知する。
【００６４】
図１２各図、図１３に示すように、トレイ位置検知センサ２１０は、遮光部１５２と対向する位置に配置されている、透過形の光電センサである。トレイ位置検知センサ２１０は、基部２１１と、投光部２１２と、受光部２１３と、を有する。制御部７０は、トレイ位置検知センサ２１０によって、トレイ１００がトレイ収容部５７の所定の位置に配置されたか否かを判別する。
【００６５】
基部２１１は、上側筐体５１ａの底面５１ｃに配置されている。投光部２１２と受光部２１３とは空隙Ｅ２を挟んで対向するように基部２１１に配置されている。投光部２１２は、受光部２１３へ光Ｌ２を投光する。空隙Ｅ２に遮光部１５２が配置されることで、投光部２１２から投光される光Ｌ２は遮られ、受光部２１３は光Ｌ２を受光しなくなる。これにより、トレイ位置検知センサ２１０は、トレイスイッチ押板１５０の動きを検知、つまりトレイ１００がトレイ収容部５７の所定の位置に配置されたことを検知する。
【００６６】
図７，８，９，１１，１５を参照して、第１のサイズの熱膨張性シート１０ａがトレイ１００に保持される様子を説明する。図９（ａ）に示す、第１のサイズの熱膨張性シート１０ａを、図８に示す、押圧部材１２０を開いた状態の載置部１１０の載置枠部１１４に載置する。この状態で押圧部材１２０が閉じられると、押圧部材１２０の額縁状の枠の一部が第１のサイズの熱膨張性シート１０ａの４辺の周縁部の上に被せられ、トレイ１００は図１５（ａ）に示す状態になる。その結果、第１のサイズの熱膨張性シート１０ａの４辺の周縁部が押圧部材１２０によって上から押さえつけられる。このとき、押圧部材１２０に設けられた金属板１２５が、載置枠部１１４に設けられた磁石１１６に吸引されることにより、熱膨張性シート１０は、載置部１１０の載置枠部１１４と押圧部材１２０との間で固定される。これにより、第１のサイズの熱膨張性シート１０ａは、第１及び第２のレバー部１４０ａ，１４０ｂのシート当接部１４２の載置枠部１１４からの突出部分を−Ｚ方向に押動し、図１１（ｂ）に示すように、突出部分は、＋Ｚ方向に載置枠部１１４と同じ高さ以下になる（遮光位置Ｐ４になる）。従って、第１及び第２のレバー部１４０ａ，１４０ｂの遮光部１４７が、センサ２００ａ，２００ｂの投光する光Ｌ１を遮り、これをセンサ２００ａ，２００ｂが検知することにより、制御部７０は，第１のサイズの熱膨張性シート１０ａが載置部１１０の載置枠部１１４に載置されたと判別する。
【００６７】
次に、第２のサイズの熱膨張性シート１０ｂがトレイ１００に保持される様子を説明する。図２（ｂ）に示す、第２のサイズの熱膨張性シート１０ｂを、図８に示す、押圧部材１２０を開いた状態の載置部１１０の載置枠部１１４に載置する。この状態で押圧部材１２０が閉じられると、押圧部材１２０の額縁状の枠の一部が第２のサイズの熱膨張性シート１０ｂの３辺の周縁部の上に被せられ、トレイ１００は図１５（ｂ）に示す状態になる。その結果、第２のサイズの熱膨張性シート１０ｂの３辺の周縁部が押圧部材１２０によって上から押さえつけられる。このとき、押圧部材１２０に設けられた金属板１２５が、載置枠部１１４に設けられた磁石１１６に吸引されることにより、第２のサイズの熱膨張性シート１０ｂは、載置部１１０の載置枠部１１４と押圧部材１２０との間で固定される。これにより、第２のサイズの熱膨張性シート１０ｂは、第２のレバー部１４０ｂのシート当接部１４２の載置枠部１１４からの突出部分を−Ｚ方向に押動し、突出部分は、＋Ｚ方向に載置枠部１１４と同じ高さ以下になる（遮光位置Ｐ４になる）。従って、第２のレバー部１４０ｂの遮光部１４７が、センサ２００ｂの投光する光Ｌ１を遮り、これをセンサ２００ｂが検知することで、制御部７０は、第２のサイズの熱膨張性シート１０ｂが載置枠部１１４に載置されたと判別する。なお、載置枠部１１４にいずれのサイズの熱膨張性シート１０も載置されていない場合、いずれのレバー部１４０も回動前位置Ｐ３から回動せず、いずれのセンサ２００の投光する光Ｌ１も遮られない。従って、いずれのセンサ２００も遮光を検知せず、制御部７０は、載置部１１０には熱膨張性シート１０が載置されていないと判別する。
【００６８】
このように、熱膨張性シート１０の周縁部が、押圧部材１２０によって押圧される。その結果、熱膨張性シート１０が膨張する際における反り、歪み等の不要な変形を抑制することができる。
【００６９】
以上のように構成されるトレイ１００は、筐体５１のトレイ収容部５７内に設けられた１対のスライドレールに取り付けられており、スライドレールに沿ってＸ方向にスライドする。図１６及び図１７に、筐体５１からトレイ１００を取り出した状態を示す。
【００７０】
図１６に示すように、ユーザは、熱膨張性シート１０を膨張装置５０に搬入する際、手掛け部１１１に手を掛けて、トレイ１００を−Ｘ方向にスライドさせて筐体５１から引き出す。そして、ユーザは、押圧部材１２０を開き、膨張させる対象となる熱膨張性シート１０を、その表面又は裏面を上に向けて載置部１１０の載置枠部１１４に載置する。
【００７１】
熱膨張性シート１０を載置枠部１１４に載置すると、ユーザは、押圧部材１２０を閉じる。押圧部材１２０が閉じられると、図１７に示すように、載置部１１０に載置された熱膨張性シート１０は、押圧部材１２０によってその周縁部が押圧されることにより、固定される。
【００７２】
このようにして熱膨張性シート１０をトレイ１００に載置すると、ユーザは、トレイ１００を＋Ｘ方向にスライドさせて、筐体５１のトレイ収容部５７内に送り込む。これにより、熱膨張性シート１０は、照射部６０によって電磁波を照射可能な所定の位置に配置される。
【００７３】
このとき、トレイ１００のトレイスイッチ押板１５０の基部１５１は、図１２（ｂ）に示すように、ＸＹ平面視でトレイ１００の隣接する辺１０１に平行になり、遮光部１５２が、トレイ位置検知センサ２１０の空隙Ｅ２に配置され、投光部２１２が投光する光を遮る。これをトレイ位置検知センサ２１０が検出することにより、制御部７０は、トレイ１００がトレイ収容部５７の所定の位置に配置されたと判別する。
【００７４】
その後、熱膨張性シート１０の膨張処理が終了すると、ユーザは、再びトレイ１００を−Ｘ方向に引き出して、トレイ１００から熱膨張性シート１０を取り出す。
【００７５】
図６に示した膨張装置５０の説明に戻る。照射部６０は、トレイ１００に配置された熱膨張性シート１０に向けて電磁波を照射する機構である。図６に示すように、照射部６０は、箱型のカバーの内部に、ランプヒータ６１と、反射板６２と、温度センサ６３と、冷却部６４と、を備える。
【００７６】
ランプヒータ６１は、例えば照射源としてハロゲンランプを備えており、電磁波として、熱膨張性シート１０に対して、近赤外領域（波長７５０〜１４００ｎｍ）、可視光領域（波長３８０〜７５０ｎｍ）、又は、中赤外領域（波長１４００〜４０００ｎｍ）の光を照射する。照射部６０及びランプヒータ６１は、このような波長域の光を照射することにより、熱膨張性シート１０にエネルギーを照射する照射手段として機能する。
【００７７】
カーボンブラックを含む黒色インクによる濃淡画像が印刷された熱膨張性シート１０に光（エネルギー）を照射すると、濃淡画像が印刷された部分では、濃淡画像が印刷されていない部分に比べて、より効率良く光が熱に変換される。そのため、熱膨張性シート１０のうちの濃淡画像が印刷された部分が主に加熱され、熱膨張剤が膨張を開始する温度に達すると膨張する。照射部６０は、搬送モータ５５によって搬送されながら光（エネルギー）を照射することにより、熱膨張性シート１０を熱膨張させる熱膨張手段として機能する。なお、ランプヒータ６１によって照射される光は、電磁波であれば良く、上記波長域の光であることに限らない。
【００７８】
反射板６２は、ランプヒータ６１の上側を覆うように配置されており、ランプヒータ６１から照射された光を熱膨張性シート１０に向けて反射する機構である。温度センサ６３は、熱電対、サーミスタ等であって、反射板６２の温度を測定する測定手段として機能する。冷却部６４は、照射部６０に給気するための少なくとも１つのファンを備え、外気を吸入し、吸入した外気を反射板６２に送って冷却する。反射板６２に送られた外気は、更に下方に流れることで、照射部６０及び筐体５１の内部が冷却される。
【００７９】
換気部５４は、膨張装置５０における奥側の端部に設けられており、膨張装置５０の内部を換気する。換気部５４は、少なくとも１つのファンを備えており、筐体５１の内部の空気を外部に排出することで筐体５１の内部を換気する。
【００８０】
搬送モータ５５は、例えばパルス電力に同期して動作するステッピングモータであって、照射部６０をトレイ１００に載置された熱膨張性シート１０に沿って移動させる。筐体５１の内部には、Ｙ方向に、すなわちトレイ１００に載置された熱膨張性シート１０の表面又は裏面に平行な方向に搬送レール５６が設けられている。照射部６０は、搬送レール５６に沿って移動することができるように搬送レール５６に取り付けられている。搬送モータ５５は、制御部７０からの指令に基づいて、軸方向から見て時計回り又は反時計回りに回転数を制御されて回転する。このような搬送モータ５５の回転に伴う駆動力を動力源として、照射部６０は、熱膨張性シート１０との距離を一定に保ちながら、搬送レール５６に沿って往復移動する。搬送モータ５５は、熱膨張性シート１０に沿って照射部６０を移動させる移動部（移動手段）として機能する。照射部６０と搬送モータ５５とをあわせて移動式ヘッドと呼ぶ。
【００８１】
電源部６９は、電源ＩＣ（Integrated Circuit）等を備え、膨張装置５０内の各部に必要な電源を作り出して供給する。例えば、換気部５４、搬送モータ５５、ランプヒータ６１及び冷却部６４は、電源部６９から電力を得て動作する。
【００８２】
制御部７０は、筐体５１の下部に配置された基板上に設けられている。制御部７０は、ＣＰＵ等のプロセッサと、ＲＯＭ、ＲＡＭ等のメモリと、を備えており、命令やデータを転送するための伝送経路であるシステムバスを介して膨張装置５０の各部と接続されている。また、制御部７０は、いずれも図示しないが、フラッシュメモリ、ハードディスク等の不揮発性メモリと、ＲＴＣ（Real Time Clock）等の計時デバイスと、端末装置３０と通信するための通信インタフェースと、を備える。
【００８３】
制御部７０において、ＣＰＵが、ＲＯＭに記憶されている制御プログラムを読み出して、ＲＡＭをワークメモリとして用いながら、膨張装置５０全体の動作を制御する。具体的に説明すると、制御部７０は、搬送モータ５５を制御して、照射部６０を指定された向きに指定された移動速度で移動させる。また、制御部７０は、センサ２００及びトレイ位置検知センサ２１０によって、載置部１１０の載置枠部１１４に熱膨張性シート１０が載置されているか否か、及び、載置された熱膨張性シート１０は、第１のサイズの熱膨張性シート１０ａか、第２のサイズの熱膨張性シート１０ｂかを判別し、照射部６０による電磁波を照射のオンとオフとを切り替え、バーコードリーダ６５にバーコードＢを読み取らせる。
【００８４】
バーコードリーダ６５は、熱膨張性シート１０の周縁部に設けられたバーコードＢを読み取る読取部（読取手段）として機能する。バーコードリーダ６５は、光を発する光源と光を検知する光学センサとを備え、レーザー方式等の周知の方式でバーコードＢを光学的に読み取る。バーコードリーダ６５は、照射部６０のカバーの外側に取り付けられており、照射部６０と共に、トレイ１００に載置された熱膨張性シート１０に沿って移動しながら、バーコードＢを光学的に読み取る。
【００８５】
上述したように、バーコードＢは、熱膨張性シート１０の１辺の周縁部に設けられている。一方で、熱膨張性シート１０がトレイ１００に載置されて押圧部材１２０が閉じられると、押圧部材１２０は、バーコードＢが設けられた１辺の周縁部を含む少なくとも３辺の周縁部に被さり、少なくとも３辺の周縁部を上から押圧する。このような押圧部材１２０によってバーコードＢが隠されて読めなくなることを回避するため、載置部１１０及び押圧部材１２０には、バーコードリーダ６５がバーコードＢを押圧部材１２０越しに光学的に読み取り可能とするための開口が設けられている。
【００８６】
＜膨張処理＞
制御部７０は、印刷装置４０によって濃淡画像が印刷された熱膨張性シート１０に電磁波を照射することにより、熱膨張性シート１０を膨張させる。
【００８７】
図１８に、膨張装置５０が膨張処理を実行する様子を示す。制御部７０は、バーコードリーダ６５によってトレイ１００に載置された熱膨張性シート１０に設けられたバーコードＢが読み取られた場合、照射部６０に電源電圧を供給してランプヒータ６１を点灯させる。そして、制御部７０は、照射部６０に電磁波を照射させている状態で搬送モータ５５を駆動させる。これにより、制御部７０は、照射部６０を、第１の位置Ｐ１から第２の位置Ｐ２に向けた方向（第１の方向）に、規定の距離だけ移動させる。このように、制御部７０は、照射部６０を熱膨張性シート１０の端から端まで移動させることで、熱膨張性シート１０の表面又は裏面に広く電磁波を照射させる。
【００８８】
規定の距離は、熱膨張性シート１０のサイズに応じて異なる。例えば、熱膨張性シート１０のサイズがＡ３サイズであれば、規定の距離は、第１の位置Ｐ１から第２の位置Ｐ２までの距離である。これに対して、熱膨張性シート１０のサイズがＡ４サイズであれば、規定の距離は、第１の位置Ｐ１から第２の位置Ｐ２までの半分の距離である。一例として、熱膨張性シート１０のサイズ情報がバーコードＢに含まれており、制御部７０は、バーコードリーダ６５によるバーコードＢの読み取り結果に応じて、規定の距離を設定しても良い。或いは、熱膨張性シート１０の厚み、基材１１の種類等の情報がバーコードＢに含まれており、制御部７０は、バーコードリーダ６５によるバーコードＢの読み取り結果に応じて、照射部６０を移動させる速度を変更しても良い。
【００８９】
照射部６０によって電磁波が照射されると、熱膨張性シート１０のうちの、カーボンブラックを含む黒色インクで濃淡画像が印刷された部分は発熱し、規定の温度にまで加熱されると膨張する。
【００９０】
規定の温度は、熱膨張層１２に含まれる熱膨張剤が膨張を開始する温度であって、例えば８０℃から１２０℃程度の温度である。制御部７０は、所定の強度で電磁波を照射している照射部６０を所定の速度で移動させることによって、熱膨張性シート１０のうちの濃淡画像が印刷された部分を規定の温度以上に加熱する。所定の強度及び所定の速度は、熱膨張性シート１０を規定の温度以上に加熱できるように予め設定されている。
【００９１】
このように、制御部７０は、搬送モータ５５によって照射部６０を第１の方向に移動させながら、照射部６０に電磁波を照射させることによって、熱膨張性シート１０を膨張させる。熱膨張性シート１０のうちの濃淡画像が印刷された部分は、濃淡画像における黒色の濃さに応じた高さに膨張する。これによって、熱膨張性シート１０に所望の造形物が造形される。なお、トレイ位置検知センサ２１０により、トレイ１００が所定の位置に配置されていると検知されていない場合、制御部７０は、搬送モータ５５を動かすことができない、或いは、照射部６０を照射させることができないように膨張装置５０を制御している。また、制御部７０は、トレイ１００に熱膨張性シート１０が載置されていない場合であっても、トレイ位置検知センサ２１０によって、トレイ１００が所定の位置にあると検知された場合、照射部６０を移動させることができるように制御している。
【００９２】
このような膨張処理によって、照射部６０は、熱膨張性シート１０の第２の位置Ｐ２側の端部に到達する。膨張処理を実行した後、制御部７０は、図示しないが、照射部６０を第２の位置Ｐ２から第１の位置Ｐ１への方向（第２の方向）に移動させながら、すなわち照射部６０をホームポジションに戻しながら、必要に応じて、換気部５４による換気処理、又は冷却部６４による冷却処理を実行する。具体的に説明すると、制御部７０は、換気部５４を駆動させて、膨張処理によって加熱された筐体５１内の空気を外部に排出する。また、制御部７０は、冷却部６４を駆動させて、膨張処理によって加熱された照射部６０及び熱膨張性シート１０を冷却する。
【００９３】
＜造形物の製造処理＞
次に、図１９に示すフローチャート及び図２０（ａ）〜（ｅ）に示す熱膨張性シート１０の断面図を参照して、印刷装置４０及び膨張装置５０において実行される造形物の製造処理の流れについて説明する。
【００９４】
第１に、ユーザは、造形物が製造される前の熱膨張性シート１０を準備し、端末装置３０を介して、カラー画像データ、表面発泡データ及び裏面発泡データを指定する。そして、熱膨張性シート１０を、その表面を上側に向けて印刷装置４０に挿入する。印刷装置４０は、挿入された熱膨張性シート１０の表面に熱変換層（表側変換層８１）を印刷する（ステップＳ１）。表側変換層８１は、電磁波熱変換材料を含むインク、例えばカーボンブラックを含む黒色インクで形成された層である。印刷装置４０は、指定された表面発泡データに従って、熱膨張性シート１０の表面に、カーボンブラックを含む黒色インクを吐出する。その結果、図２０（ａ）に示すように、インク受容層１３上に表側変換層８１が形成される。なお、理解を容易とするため、インク受容層１３上に表側変換層８１が形成されているように図示しているが、より正確には黒色インクはインク受容層１３中に受容されているため、インク受容層１３中に表側変換層８１が形成されている。
【００９５】
第２に、ユーザは、表側変換層８１が印刷された熱膨張性シート１０を、その表面を上側に向けて膨張装置５０に挿入する。膨張装置５０は、挿入された熱膨張性シート１０へ表面から電磁波を照射する（ステップＳ２）。具体的に説明すると、膨張装置５０は、照射部６０によって熱膨張性シート１０の表面に電磁波を照射する。熱膨張性シート１０の表面に印刷された表側変換層８１に含まれる熱変換材料は、照射された電磁波を吸収することによって発熱する。その結果、表側変換層８１が発熱し、図２０（ｂ）に示すように、熱膨張性シート１０の熱膨張層１２のうちの表側変換層８１が印刷された領域が膨張し、盛り上がる。
【００９６】
第３に、熱膨張層１２の一部が膨張した熱膨張性シート１０を、その表面を上側に向けて印刷装置４０に挿入する。印刷装置４０は、挿入された熱膨張性シート１０の表面にカラー画像（カラーインク層８２）を印刷する（ステップＳ３）。具体的には、印刷装置４０は、指定されたカラー画像データに従って、熱膨張性シート１０の表面に、シアンＣ、マゼンタＭ及びイエローＹの各インクを吐出する。その結果、図２０（ｃ）に示すように、インク受容層１３上にカラーインク層８２が形成される。なお、インク受容層１３上にカラーインク層８２が形成されているように図示しているが、より正確にはカラーインクはインク受容層１３中に受容されている。
【００９７】
第４に、カラーインク層８２の形成後、カラーインク層８２を乾燥させる（ステップＳ４）。例えば、ユーザは、カラーインク層８２が印刷された熱膨張性シート１０を、その裏面を上側に向けて膨張装置５０に挿入し、膨張装置５０は、挿入された熱膨張性シート１０を裏面から加熱し、熱膨張性シート１０の表面に形成されたカラーインク層８２を乾燥させる。具体的に説明すると、膨張装置５０は、照射部６０によって熱膨張性シート１０の裏面に電磁波を照射させ、カラーインク層８２を加熱し、カラーインク層８２中に含まれる溶媒を揮発させる。なお、ステップＳ４は省略することも可能である。
【００９８】
第５に、ユーザは、カラーインク層８２が印刷された熱膨張性シート１０を、その裏面を上側に向けて印刷装置４０に挿入する。印刷装置４０は、挿入された熱膨張性シート１０の裏面に熱変換層（裏側変換層８３）を印刷する（ステップＳ５）。裏側変換層８３は、熱膨張性シート１０の表面に印刷された表側変換層８１と同様に、電磁波を熱に変換する材料、具体的にはカーボンブラックを含む黒色インクで形成された層である。印刷装置４０は、指定された裏面発泡データに従って、熱膨張性シート１０の裏面に、カーボンブラックを含む黒色インクを吐出する。その結果、図２０（ｄ）に示すように、基材１１の裏面に裏側変換層８３が形成される。
【００９９】
第６に、ユーザは、裏側変換層８３が印刷された熱膨張性シート１０を、その裏面を上側に向けて膨張装置５０に挿入する。膨張装置５０は、挿入された熱膨張性シート１０へ裏面から電磁波を照射して加熱する（ステップＳ６）。具体的に説明すると、膨張装置５０は、照射部６０によって熱膨張性シート１０の裏面に電磁波を照射させる。熱膨張性シート１０の裏面に印刷された裏側変換層８３は、照射された電磁波を吸収することによって発熱する。その結果、図２０（ｅ）に示すように、熱膨張性シート１０の熱膨張層１２のうち、裏側変換層８３が印刷された領域が膨張し、盛り上がる。
【０１００】
以上のような手順によって、熱膨張性シート１０の表面上に造形物が形成される。
【０１０１】
なお、熱変換層は表側のみ又は裏側のみに形成されてもよい。表側変換層８１のみを利用して熱膨張層１２を膨張させる場合、上記の処理のうちステップＳ１〜Ｓ４を実施する。一方、裏側変換層８３のみを利用して熱膨張層１２を膨張させる場合、上記の処理のうち、ステップＳ３〜Ｓ６を実施する。
【０１０２】
また、ステップＳ５，Ｓ６における裏面発泡の処理を、ステップＳ１，Ｓ２における表面発泡の処理よりも前に実施しても良いし、ステップＳ３，Ｓ４におけるカラーインク層８２の印刷及び乾燥処理を、ステップＳ１，Ｓ２における表面発泡の処理よりも前に実施しても良い。或いは、ステップＳ１における表側変換層８１の印刷と、ステップＳ３におけるカラーインク層８２の印刷を実施した後で、ステップＳ２における表面発泡の処理を実施しても良い。このように、上記ステップＳ１〜Ｓ６の処理の順番は、様々に入れ替えて実施しても良い。
【０１０３】
以上説明したように、本実施形態に係る膨張装置５０は、電磁波を照射する照射部６０を熱膨張性シート１０に沿って移動させることで熱膨張性シート１０を膨張させる方式の装置において、いずれのレバー部１４０がセンサ２００の投光する光Ｌ１を遮る位置に配置されているかを検知することにより、載置枠部１１４に熱膨張性シート１０が載置されているか否か、さらに、載置枠部１１４に熱膨張性シート１０が載置されている場合、載置された熱膨張性シート１０は第１のサイズであるのか第２のサイズであるのかを簡単な構造で検知することができる。第１のレバー部１４０ａは、第１のサイズの熱膨張性シート１０ａの１辺に近接し、当接可能な位置に配置され、第２のサイズの熱膨張性シート１０ｂの４辺のいずれにも近接しない位置に配置されており、第２のレバー部１４０ｂは、第１のサイズの熱膨張性シート１０の１辺に近接することができる位置かつ前記第２のサイズのシートの１辺に近接することができる位置に配置されている。従って、第１のレバー部は、第１のサイズの熱膨張性シート１０が載置枠部１１４に載置された場合に回動し、第２のレバー部は、第１のサイズ及び第２のサイズの熱膨張性シート１０が載置枠部１１４に載置された場合に回動し、センサ２００の投光する光Ｌ１を遮る位置に配置される。また、載置部１１０に回動自在に接合された枠状の押圧部材１２０により載置枠部１１４上の熱膨張性シート１０の周縁部を押圧する上に、載置枠部１１４と押圧部材１２０とが、磁石１１６と金属板１２５との吸引力により熱膨張性シート１０の周縁部を押圧するので、熱膨張性シート１０がレバー部１４０を十分に押圧することができ、載置枠部１１４に載置された熱膨張性シート１０のサイズを正確に検知することができる。さらに、シート当接部１４２は、載置部１１０及び押圧部材１２０の枠の内側の縁に配置されるので、熱膨張性シート１０がレバー部１４０を十分に押圧することができ、載置枠部１１４に載置された熱膨張性シート１０のサイズをより正確に検知することができる。従って、載置部１１０の載置枠部１１４に熱膨張性シート１０が載置されているか否か、さらに、載置部１１０の載置枠部１１４に熱膨張性シート１０が載置されている場合、載置された熱膨張性シート１０は第１のサイズであるのか第２のサイズであるのかを確実に検知することができる。
【０１０４】
また、本実施形態に係る膨張装置５０は、トレイ１００（の熱膨張性シート１０）がトレイ収容部５７の所定の位置に配置されたことを検知するトレイ位置検知センサ２１０を備えているので、トレイ１００及び熱膨張性シート１０が正しい位置に配置されているか否かを判別できる。従って、トレイ１００が所定の位置に配置された場合に、熱膨張性シート１０を加工するので、ズレた加工をすることを防ぐこともできる。トレイ位置検知センサ２１０により、トレイ１００が所定の位置に配置されてトレイ１００とトレイ収容部５７との間に隙間が無い場合に、照射部６０を移動、照射させることができ、膨張装置５０の安全性を高めることができる。
【０１０５】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１０６】
例えば、上記実施形態では、押圧部材１２０は、額縁状をしており、載置枠部１１４に熱膨張性シート１０が載置された場合に、熱膨張性シート１０の４辺の周縁部を押圧した。しかしながら、本発明において、押圧部材１２０の形状は、額縁状に限らない。例えば、載置枠部１１４に載置された熱膨張性シート１０の、３辺の周縁部を最低限押圧できるように、押圧部材１２０は、−Ｘ方向に開口したＸＹ平面視Ｕ字状をしていても良い。或いは、熱膨張性シート１０の重量がシート当接部１４２を遮光位置Ｐ４まで押動させるのに十分な重量がある場合などには、押圧部材１２０が無い構成であっても良い。
【０１０７】
また、上記実施形態では、レバー部１４０がトレイ１００の−Ｘ方向の端部の２ヶ所に配置されていた。しかしながら、本発明において、レバー部１４０及びこれに対応するセンサ２００の個数や配置は、これに限らない。載置枠部１１４に載置する熱膨張性シート１０のサイズの種類に応じて、レバー部１４０及びセンサ２００の個数を増減させても良い。また、センサ２００の種類も変更可能であり、第１及び第２のレバー部１４０ａ，１４０ｂに対して１つのセンサ２００で対応させても良い。また、レバー部１４０及びセンサ２００の位置も他の位置、例えば、トレイ１００の＋Ｙ方向端部及び−Ｙ方向端部に配置されていても良い。
【０１０８】
上記実施形態では、押圧部材１２０は、回動部１１７によって載置部１１０に回動自在に取り付けられていたが、本発明ではこれに限らない。例えば、押圧部材１２０Ａは、単に載置部１１０に冠着される構造であっても良い。
【０１０９】
上記実施形態では、載置枠部１１４に磁石１１６が設けられ、押圧部材１２０に金属板１２５が設けられていた。しかしながら、本発明において、磁石１１６と金属板１２５とが逆に設けられていても良い。言い換えると、載置枠部１１４に磁石１１６と金属板１２５とのうちの一方が設けられ、押圧部材１２０に磁石１１６と金属板１２５とのうちの他方が設けられていれば良い。なお、磁石１１６及び金属板１２５の形状は、上記実施形態の例に限らない。
【０１１０】
また、トレイ１００に載置される熱膨張性シート１０のサイズはＡ３、Ａ４サイズに限らず、本発明は、様々なサイズの熱膨張性シート１０がトレイ１００に載置された場合に適用することができる。
【０１１１】
上記実施形態では、レバー部１４０は、バネ１４５に回動可能に取り付けられていたが、例えば、単純にＺ軸方向に上下動する構造であっても良く、シート当接部１４２やレバー部１４０の形状等も他の様々な形状であっても良い。
【０１１２】
上記実施形態では、レバー部１４０は、バネ１４５に接続されていたが、例えば、レバー部１４０自身が弾性を有してトレイ１００に取り付けられ、バネ１４５を有しないような構造であっても良い。
【０１１３】
上記実施形態では、シート検知機構２は、造形物を製造するための熱膨張性シート１０を検知するものであった。しかしながら、本発明に係るシート検知機構２によって検知されるシートは、熱膨張性シート１０に限らず、一般的なシートであっても良い。本発明に係るシート検知機構２は、熱膨張性シート１０以外のシートを検知する場合においても、シートを検知することができる。
【０１１４】
また、上記実施形態では、シート検知機構２を、照射部６０が熱膨張性シート１０に向けて電磁波を照射することにより、熱膨張性シート１０を膨張させる膨張装置５０に使用した。しかしながら、本発明に係るシート検知機構２は、移動式ヘッドが一般的なシートに沿って移動しながらシートを加工する加工装置に使用されても良い。本発明に係るシート検知機構２は、熱膨張性シート１０以外のシートを検知する場合においても、シートを検知することができる。
【０１１５】
上記実施形態では、熱膨張性シート１０は、基材１１と熱膨張層１２とインク受容層１３とを備えていた。しかしながら、本発明において、熱膨張性シート１０の構成はこれに限らない。例えば、熱膨張性シート１０は、インク受容層１３を備えなくても良いし、表面又は裏面に剥離可能な剥離層を備えていても良い。或いは、熱膨張性シート１０は、他の任意の材料による層を備えていても良い。
【０１１６】
上記実施形態では、端末装置３０と印刷装置４０と膨張装置５０とは、それぞれ独立した装置であった。しかしながら、本発明において、端末装置３０と印刷装置４０と膨張装置５０とのうちの少なくともいずれか２つが一体となっていても良い。
【０１１７】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１１８】
（付記１）
シートが載置される載置枠部を備える載置部と、前記載置枠部に設けられ、前記載置枠部に載置された前記シートと当接する可動部材と、を有するトレイと、
前記可動部材の所定の配置を検知するセンサと、
前記センサを制御する制御部と、を備え、
前記載置枠部の平面視の外形の大きさは、前記シートの外形の大きさ以上であり、
前記載置枠部は、平面視で、所定の幅を有し、前記載置枠部の内部に開口部を有しており、
前記可動部材は、前記載置枠部に前記シートが載置され、前記シートに前記載置枠部の内側の縁で当接することにより前記所定の配置となり、
前記センサに前記所定の配置を検知させることによって、前記制御部は、前記載置枠部に前記シートが載置されているか否かを判別する、
ことを特徴とするシート検知機構。
【０１１９】
（付記２）
前記トレイは、前記載置枠部に載置された前記シートを押圧する押圧部材を、さらに有する、
ことを特徴とする付記１に記載のシート検知機構。
【０１２０】
（付記３）
前記押圧部材は、枠状に形成され、内側に前記シートの外形より小さい開口が形成されている、
ことを特徴とする付記２に記載のシート検知機構。
【０１２１】
（付記４）
前記可動部材は、
少なくとも一部が前記載置枠部の上方に突出し、前記載置枠部に載置された前記シートと当接し、前記載置枠部の内側の縁に配置されたシート当接部と、
前記センサに前記所定の配置を検知される被検知部と、
を備え、
前記シート当接部は、前記載置枠部に載置された前記シートに当接することによって前記シートと同じ高さ以下に押動され、
前記被検知部は、前記シート当接部が前記シートと同じ高さ以下に押動されることによって、前記所定の配置となる、
ことを特徴とする付記２又は３に記載のシート検知機構。
【０１２２】
（付記５）
前記押圧部材には、磁石と金属板とのうちの一方が設けられ、
前記載置枠部には、前記磁石と前記金属板とのうちの他方が設けられ、
前記トレイは、前記磁石と前記金属板との間の吸引力により、前記載置枠部に載置された前記シートの周縁部を押圧する、
ことを特徴とする付記２から４のいずれか１つに記載のシート検知機構。
【０１２３】
（付記６）
前記押圧部材は、前記載置部に回動自在に接合されている、
ことを特徴とする付記２から５のいずれか１つに記載のシート検知機構。
【０１２４】
（付記７）
前記可動部材は、第１の可動部材であり、
前記トレイは、前記載置枠部に設けられ、前記載置枠部に載置された前記シートと当接する第２の可動部材をさらに有し、
前記第２の可動部材は、第１のサイズである前記シートに当接することができる位置かつ前記第１のサイズより小さい第２のサイズである前記シートに当接することができる位置に配置され、前記載置枠部に前記第１のサイズである前記シートが載置され前記第１のサイズである前記シートに当接することにより、又は、前記第２のサイズである前記シートが載置され前記第２のサイズである前記シートに当接することにより、前記所定の配置となり、
前記第１の可動部材は、第１のサイズである前記シートに当接することができる位置に配置され、前記第２のサイズである前記シートに当接せず、前記第２のサイズである前記シートが前記載置部に載置された場合、前記所定の配置とならず、
前記センサがどの前記可動部材の前記所定の配置を検知したかによって、前記制御部は、前記載置枠部に前記シートが載置されているか否か、及び、前記載置枠部に前記シートが載置されている場合に載置された前記シートのサイズを判別する、
ことを特徴とする付記２から５のいずれか１つに記載のシート検知機構。
【０１２５】
（付記８）
前記トレイを収容するトレイ収容部と、
前記トレイが前記トレイ収容部の所定の位置に配置されたことを検知するトレイ位置検知センサと、
前記トレイと当接可能なトレイ当接部材と、をさらに備え、
前記トレイが前記トレイ収容部の前記所定の位置に配置されたとき、前記トレイ当接部材は、前記所定の配置となり、
前記トレイ位置検知センサが前記トレイ当接部材の前記所定の配置を検知することにより、前記制御部は、前記シートが前記トレイ収容部の前記所定の位置に配置されたと判別する、
ことを特徴とする付記１から７のいずれか１つに記載のシート検知機構。
【０１２６】
（付記９）
前記センサと、前記トレイ位置検知センサとは、光電センサであり、
前記所定の配置は、前記センサ又は前記トレイ位置検知センサの投光部と受光部との間に投光された光を遮る配置である、
ことを特徴とする付記８に記載のシート検知機構。
【０１２７】
（付記１０）
付記１から９のいずれか１つに記載のシート検知機構と、
前記トレイに配置された前記シートに沿って移動しながら前記シートを加工する移動式ヘッドと、を備える、
ことを特徴とする加工装置。
【０１２８】
（付記１１）
付記１から９のいずれか１つに記載のシート検知機構と、
前記トレイに配置された前記シートに沿って移動しながら前記シートを加工する移動式ヘッドと、を備え、
前記シートは、熱膨張性シートであり、
前記移動式ヘッドは、前記熱膨張性シートに向けて電磁波を照射させることにより、前記熱膨張性シートを膨張させる、
ことを特徴とする膨張装置。
【０１２９】
（付記１２）
付記１１に記載の膨張装置と、
前記熱膨張性シートに、電磁波を熱に変換する変換層を印刷する印刷装置と、を備え、
前記膨張装置は、前記移動式ヘッドを移動させながら、前記印刷装置によって前記変換層が印刷された前記熱膨張性シートに向けて前記移動式ヘッドに電磁波を照射させることにより、前記熱膨張性シートを膨張させる、
ことを特徴とする造形システム。
【符号の説明】
【０１３０】
１…造形システム、２…シート検知機構、１０，１０ａ，１０ｂ…熱膨張性シート、１１…基材、１２…熱膨張層、１３…インク受容層、３０…端末装置、３１…制御部、３２…記憶部、３３…操作部、３４…表示部、３５…記録媒体駆動部、３６…通信部、４０…印刷装置、４１…キャリッジ、４２…印刷ヘッド、４３，４３ｋ，４３ｃ，４３ｍ，４３ｙ…インクカートリッジ、４４…ガイドレール、４５…駆動ベルト、４５ｍ…モータ、４６…フレキシブル通信ケーブル、４７…フレーム、４８…プラテン、４９ａ…給紙ローラ対、４９ｂ…排紙ローラ対、５０…膨張装置、５１…筐体、５１ａ…上側筐体、５１ｂ…下側筐体、５４…換気部、５５…搬送モータ、５６…搬送レール、５７…トレイ収容部、６０…照射部、６１…ランプヒータ、６２…反射板、６３…温度センサ、６４…冷却部、６５…バーコードリーダ、６９…電源部、７０…制御部、８１…表側変換層、８２…カラーインク層、８３…裏側変換層、１００…トレイ、１０１…辺、１１０…載置部、１１１…手掛け部、１１２…凹部、１１３…開口、１１４…載置枠部、１１６…磁石、１１７…回動部、１１８…貫通孔、１１９…係合爪、１２０…押圧部材、１２５…金属板、１２８…開口、１４０，１４０ａ，１４０ｂ…レバー部（可動部材）、１４１…軸、１４２…シート当接部、１４３…被検知部、１４４…係合部、１４５…バネ、１４６，１５１…基部、１４７，１５２…遮光部、１５０…トレイスイッチ押板（トレイ当接部材）、１５３…固定部材、２００，２００ａ，２００ｂ…センサ、２０１，２１１…基部、２０２，２１２…投光部、２０３，２１３…受光部、２１０…トレイ位置検知センサ、Ｂ…バーコード、Ｄ１…副走査方向、Ｄ２…主走査方向、Ｅ１，Ｅ２…空隙
【図１】
2019171573.tif 000003
【図２】
2019171573.tif 000004
【図３】
2019171573.tif 000005
【図４】
2019171573.tif 000006
【図５】
2019171573.tif 000007
【図６】
2019171573.tif 000008
【図７】
2019171573.tif 000009
【図８】
2019171573.tif 000010
【図９】
2019171573.tif 000011
【図１０】
2019171573.tif 000012
【図１１】
2019171573.tif 000013
【図１２】
2019171573.tif 000014
【図１３】
2019171573.tif 000015
【図１４】
2019171573.tif 000016
【図１５】
2019171573.tif 000017
【図１６】
2019171573.tif 000018
【図１７】
2019171573.tif 000019
【図１８】
2019171573.tif 000020
【図１９】
2019171573.tif 000021
【図２０】
2019171573.tif 000022